(57)【要約】      （修正有）【課題】洋式便器における便器ボウルに対して正しい位置および向きに容易に貼り付けることができる便器ボウル用被覆シートを提供する。【解決手段】便器ボウル用被覆シート１００は、便器ボウル９１の開口部を覆うことができる大きさに形成されたシート本体１０１を備えている。シート本体１０１の裏面には、粘着部が形成されるとともに粘着部上に剥離シート１２０が貼り付けられている。剥離シート１２０は、便器ボウル９１における開口部および縁部のうちのベース部９３ａから所定幅の後端部領域を除く前側部分に貼り付けられる粘着部を覆う前側剥離部１２１と、便器ボウル９１における所定幅の後端部領域に貼り付けられる粘着部を覆って前側剥離部１２１とは独立して剥離するとともに前側剥離部１２１より小さい面積で形成されたスタート剥離部と、便座９３の一部を覆うオーバー部とを備えている。【選択図】図５
2014066094.tif 000002
【特許請求の範囲】
【請求項１】
洋式便器における便器ボウルの開口部および同開口部の周囲における少なくとも一部を覆うことができる大きさに形成されたシート本体と、
前記シート本体の裏面に形成した粘着部と、
前記粘着部を同粘着部から剥離可能に覆う剥離シートとを備え、
前記剥離シートは、
前記便器ボウルにおける前記開口部の周囲のうちの少なくとも前記開口部の中央部より前側部分に貼り付けられる前記粘着部を覆う前側剥離部と、
前記洋式便器における少なくとも前記開口部の中央部より奥側部分に前記便器ボウルの幅方向に沿って貼り付けられる前記粘着部を覆って前記前側剥離部とは独立して剥離するとともに同前側剥離部よりも小さい面積に形成されたスタート剥離部とを備えることを特徴とする便器ボウル用被覆シート。
【請求項２】
請求項１に記載した便器ボウル用被覆シートにおいて、
前記シート本体は、
前記スタート剥離部に対して前記前側剥離部とは反対側に延びるオーバー部を備えており、
前記剥離シートは、
前記オーバー部を覆って前記スタート剥離部とは独立して剥離するオーバー剥離部を備えることを特徴とする便器ボウル用被覆シート。
【請求項３】
請求項１または請求項２に記載した便器ボウル用被覆シートにおいて、
前記シート本体は、
前記便器ボウルにおける前記縁部の幅方向の長さよりも長く形成されていることを特徴とする便器ボウル用被覆シート。
【請求項４】
請求項１ないし請求項３のうちのいずれか１つに記載した便器ボウル用被覆シートにおいて、
前記シート本体は、
前記スタート剥離部が貼り付けられる部分の幅方向の長さと前記前側剥離部が貼り付けられる部分の幅方向の長さとが互いに異なる長さに形成されていることを特徴とする便器ボウル用被覆シート。
【請求項５】
請求項１ないし請求項４のうちのいずれか１つに記載した便器ボウル用被覆シートにおいて、
前記シート本体は、
前記便器ボウルから剥がすことによってカールする樹脂製フィルムで構成されていることを特徴とする便器ボウル用被覆シート。
【請求項６】
請求項１ないし請求項５のうちのいずれか１つに記載した便器ボウル用被覆シートにおいて、
前記粘着部は、
再貼付不能な粘着剤で構成されていることを特徴とする便器ボウル用被覆シート。
【請求項７】
請求項１ないし請求項４のうちのいずれか１つに記載した便器ボウル用被覆シートにおいて、
前記粘着部は、
再貼付可能な粘着剤で構成されていることを特徴とする便器ボウル用被覆シート。
【請求項８】
請求項１ないし請求項７のうちのいずれか１つに記載した便器ボウル用被覆シートにおいて、
前記シート本体は、
水溶性の紙材で構成されていることを特徴とする便器ボウル用被覆シート。
【発明の詳細な説明】
【技術分野】
【０００１】
本発明は、洋式便器における便器ボウルの開口部を覆う便器ボウル用被覆シートに関する。
【背景技術】
【０００２】
従来から、洋式便器における便器ボウルの未使用状態の維持、便器ボウルからの臭気の拡散防止、便器ボウル内への虫やゴミなどの異物の侵入および便器ボウルの底部に溜められた所謂溜水の蒸発を防止するために便器ボウル用被覆シートが用いられている。便器ボウル用被覆シートは、便器ボウルの開口部を覆った状態で開口部の縁部に貼り付けられる粘着性のシート本体で構成されている。
【０００３】
例えば、下記特許文献１には、便器ボウルの開口部より一回り大きな楕円状に形成されたシート本体の裏面に粘着部が形成されて便器ボウルの縁部に貼り付かせるように構成した便器ボウル用被覆シートが開示されている。この場合、下記特許文献１に示された便器ボウル用被覆シートにおいては、シート本体における粘着部を覆う１枚の剥離シートを剥がすことによってシート本体全体を便器ボウルの縁部に貼り付けるように構成されている。
【先行技術文献】
【特許文献】
【０００４】
【特許文献１】特開２００６−７７５２５号公報
【０００５】
しかしながら、上記特許文献１に記載された便器ボウル用被覆シートにおいては、粘着部から剥離シートを剥がすと粘着部の全体が露出するため、便器ボウル用被覆シートを便器ボウルの縁部に位置決めして貼り付ける際に粘着部が便器ボウルの思わぬ場所に貼り付いてシート本体を正しい位置に正しい向きで貼り付けることが困難であるという問題があった。
【０００６】
本発明は上記問題に対処するためなされたもので、その目的は、洋式便器における便器ボウルに対して正しい位置および向きに容易に貼り付けることができる便器ボウル用被覆シートを提供することにある。
【発明の概要】
【０００７】
上記目的を達成するため、本発明の特徴は、洋式便器における便器ボウルの開口部および同開口部の周囲における少なくとも一部を覆うことができる大きさに形成されたシート本体と、シート本体の裏面に形成した粘着部と、粘着部を同粘着部から剥離可能に覆う剥離シートとを備え、剥離シートは、便器ボウルにおける開口部の周囲のうちの少なくとも開口部の中央部より前側部分に貼り付けられる粘着部を覆う前側剥離部と、洋式便器における少なくとも開口部の中央部より奥側部分に便器ボウルの幅方向に沿って貼り付けられる粘着部を覆って前側剥離部とは独立して剥離するとともに同前側剥離部よりも小さい面積に形成されたスタート剥離部とを備えることにある。
【０００８】
このように構成した本発明の特徴によれば、シート本体の裏面に形成された粘着部を覆う剥離シートが前側剥離部とスタート剥離部とで構成されている。この場合、前側剥離部は便器ボウルにおける開口部の周囲のうちの少なくとも開口部の中央部より前側部分に貼り付けられる粘着部を覆い、スタート剥離部は洋式便器における少なくとも開口部の中央部より奥側部分に便器ボウルの幅方向に沿って貼り付けられる粘着部を覆って前側剥離部とは独立して剥離するとともに同前側剥離部より小さい面積で形成されている。このため、便器ボウル用被覆シートを便器ボウルに貼り付けるユーザは、シート本体からスタート剥離部を剥がして洋式便器における開口部の中央部より奥側部分に貼り付けた後、前側剥離部を剥がして開口部の前側に向かってシート本体を貼り付けることができる。すなわち、ユーザは、シート本体を便器ボウルに貼り付ける際、スタート剥離部を剥がすことによって粘着部を前側剥離部よりも小さな面積で露出させるとともにその余の部分を前側剥離部で覆った状態でシート本体の便器ボウルへの位置決めを行うことができる。これにより、本発明に係る便器ボウル用被覆シートによれば、便器ボウルへの正確な貼り付け作業を容易に行うことができる。
【０００９】
また、本発明の他の特徴は、前記便器ボウル用被覆シートにおいて、シート本体は、スタート剥離部に対して前側剥離部とは反対側に延びるオーバー部を備えており、剥離シートは、オーバー部を覆ってスタート剥離部とは独立して剥離するオーバー剥離部を備えることにある。
【００１０】
このように構成した本発明の他の特徴によれば、便器ボウル用被覆シートは、シート本体がスタート剥離部に対して前側剥離部とは反対側、すなわち、洋式便器における便座の固定側に延びたオーバー部を備えるとともに、剥離シートがこのオーバー部を覆ってスタート剥離部とは独立して剥離するオーバー剥離部を備えて構成されている。これにより、便器ボウル用被覆シートは、洋式便器におけるスタート剥離部が剥がされて貼り付けられた部分より更に後方側の部分、具体的には、洋式便器における肛門等の洗浄装置部分、便座の裏面または便器ボウルにおける便座や蓋体の取付部分を覆うことができるため、より気密性を向上させることができる。
【００１１】
また、本発明の他の特徴は、前記便器ボウル用被覆シートにおいて、シート本体は、便器ボウルにおける縁部の幅方向の長さよりも長く形成されていることにある。
【００１２】
このように構成した本発明の他の特徴によれば、便器ボウル用被覆シートは、シート本体が便器ボウルにおける縁部の幅方向の長さよりも長く形成されているため、便器ボウルにおける開口部の周囲、具体的には、便器ボウルの縁部および同縁部の外側部分を広く覆うことができ、より粘着力や気密性を向上させることができる。
【００１３】
また、本発明の他の特徴は、前記便器ボウル用被覆シートにおいて、シート本体は、スタート剥離部が貼り付けられる部分の幅方向の長さと前側剥離部が貼り付けられる部分の幅方向の長さとが互いに異なる長さに形成されていることにある。
【００１４】
このように構成した本発明の他の特徴によれば、便器ボウル用被覆シートは、シート本体におけるスタート剥離部が貼り付けられる部分の幅方向の長さと前側剥離部が貼り付けられる部分の幅方向の長さとが互いに異なる長さに形成されているため、ユーザはスタート剥離部１２２が剥がされて粘着部が露出した部分をシート本体の表面側から容易に確認することができ、シート本体の貼り付け作業を容易かつ正確に行うことができる。
【００１５】
また、本発明の他の特徴は、前記便器ボウル用被覆シートにおいて、シート本体は、便器ボウルから剥がすことによってカールする樹脂製フィルムまたは紙材によって構成されていることにある。
【００１６】
このように構成した本発明の他の特徴によれば、便器ボウル用被覆シートは、シート本体が便器ボウルから剥がすことによってカールする樹脂製フィルムまたは紙材で構成されているため、便器ボウルから剥がした後の再貼付けが困難となる。このため、便器ボウル用被覆シートは、洋式便器のユーザに対して洋式便器における未使用状態維持の信頼性を高めることができる。
【００１７】
また、本発明の他の特徴は、前記便器ボウル用被覆シートにおいて、粘着部は、再貼付不能な粘着剤で構成されていることにある。
【００１８】
このように構成した本発明の他の特徴によれば、便器ボウル用被覆シートは、粘着部が再貼付不能な粘着剤で構成されているため、便器ボウルから剥がした後の再貼付けが困難となる。このため、便器ボウル用被覆シートは、洋式便器のユーザに対して洋式便器における未使用状態維持の信頼性を高めることができる。
【００１９】
また、本発明の他の特徴は、前記便器ボウル用被覆シートにおいて、粘着部は、再貼付可能な粘着剤で構成されていることにある。
【００２０】
このように構成した本発明の他の特徴によれば、便器ボウル用被覆シートは、粘着部が再貼付可能な粘着剤で構成されているため、便器ボウルから剥がした後に再び貼り付けることができる。このため、便器ボウル用被覆シートは、ユーザによる貼り損じや洋式便器のメンテナンス時などに一時的に剥がした後に再び貼り付けて再利用することができる。
【００２１】
また、本発明の他の特徴は、前記便器ボウル用被覆シートにおいて、シート本体は、水溶性の紙材で構成されていることにある。
【００２２】
このように構成した本発明の他の特徴によれば、便器ボウル用被覆シートは、シート本体が水溶性の紙材で構成されているため、便器ボウルから剥がした後に便器ボウル内に捨てて流すことにより簡単に処分することができ、廃棄処理が容易となる。
【図面の簡単な説明】
【００２３】
【図１】本発明の一実施形態に係る便器ボウル用被覆シートの表面側からの外観構成を概略的に示す斜視図である。
【図２】図１に示す便器ボウル用被覆シートの裏面を示す底面図である。
【図３】図１に示す便器ボウル用被覆シートの使用対象となる洋式便器の外観構成を概略的に示す斜視図である。
【図４】図１に示す便器ボウル用被覆シート図３に示す洋式便器に貼り付ける作業の一過程を示す斜視図である。
【図５】図１に示す便器ボウル用被覆シート図３に示す洋式便器に貼り付ける作業の他の一過程を示す斜視図である。
【図６】図１に示す便器ボウル用被覆シート図３に示す洋式便器に貼り付ける作業の他の一過程を示す斜視図である。
【図７】図１に示す便器ボウル用被覆シート図３に示す洋式便器に貼り付ける作業の他の一過程を示す斜視図である。
【図８】本発明の変形例に係る便器ボウル用被覆シートの外観構成を概略的に示す平面図である。
【発明を実施するための形態】
【００２４】
以下、本発明に係る便器ボウル用被覆シートの一実施形態について図面を参照しながら説明する。図１は、本発明に係る便器ボウル用被覆シート１００の外観構成を概略的に示す斜視図である。また、図２は、図１に示す便器ボウル用被覆シート１００の裏面を示す底面図である。また、図３は、図１に示す便器ボウル用被覆シート１００の使用対象となる洋式便器９０の外観構成を概略的に示す斜視図である。なお、本明細書において参照する各図は、本発明の理解を容易にするために一部の構成要素を誇張して表わすなど模式的に表していることがあるため、各構成要素間の寸法や比率などは異なっていることがある。この便器ボウル用被覆シート１００は、洋式便器９０における便器ボウル９１の上面に対して剥離可能に貼り付けられて便器ボウル９１の開口部９１ａを覆うシート本体である。
【００２５】
ここで、便器ボウル用被覆シート１００が設置される洋式便器９０について簡単に説明しておく。洋式便器９０は、図３に示すように、人（図示せず）が腰掛けた状態で排尿や排便を行う用器であり、主として、便器ボウル９１、便座９３および蓋体９４によって構成されている。これらのうち、便器ボウル９１は、人の排泄物（図示せず）を受ける器であり、図示上方に向かって楕円形に開口する台状に形成されている。この便器ボウル９１は、楕円状に開口した開口部９１ａの周囲に楕円リング状の縁部９１ｂが形成されるとともに開口部９１ａの内側が底部に向かって収束する曲面状に形成されている。そして、この便器ボウル９１の内側底部には、所定量の水からなる溜水９２が保持されている。
【００２６】
便座９３は、便器ボウル９１の開口部９１ａ上に人を着座させるためのものであり、主として、ベース部９３ａと座部９３ｂとで構成されている。これらのうち、ベース部９３ａは、便器ボウル９１の開口部９１ａ上において座部９３ｂおよび蓋体９４を起立および傾倒自在にそれぞれ支持する部分であり、便器ボウル９１の縁部９１ｂにおける奥側（図示右側）に配置されている。この場合、便器ボウル９１の縁部９１ｂにおける奥側とは、便器ボウル９１の前側（図示左側）に対する反対側であり、座部９３ｂ上に着座した人の背中より後方側である。そして、このベース部９３ａには、便器ボウル９１の内周面に対向する底部に人の肛門等を洗浄するための洗浄装置９３ｃが設けられている。
【００２７】
一方、座部９３ｂは、排尿や排便を行う人が腰掛けることにより臀部を支持する部分であり、楕円リング状に形成されている。なお、この洋式便器９０には、溜水９２となる水を供給するための給水タンク、便座９３における洗浄装置９３ｃ等を制御するための制御装置などを備えているが、これらについては本発明に直接関わらないため説明は省略する。
【００２８】
蓋体９４は、便器ボウル９１における開口部９１ａを開閉自在に塞ぐための部材であり、座部９３ａよりも一回り大きな楕円形状の平板状に形成されている。この蓋体９４は、便座９３のベース部９３ａに座部９３ａとともに起立および傾倒自在に支持されている。すなわち、この洋式便器９０は、従来から広く使用されている極めて一般的な便器である。なお、本発明に係る便器ボウル用被覆シート１００の使用対象となる洋式便器９０は、少なくとも便器ボウル９１を備えていればよく、必ずしも本実施形態で説明した形態に限定されるものではない。
【００２９】
（便器ボウル用被覆シート１００の構成）
この便器ボウル用被覆シート１００は、シート本体１０１を備えている。シート本体１０１は、便器ボウル９１における開口部９１ａを覆う薄膜体であり、開口部９１ａよりも大きな平面視で砲弾形状に形成されている。より具体的には、シート本体１０１は、便器ボウル９１において外部に露出した開口部９１ａを縁部９１ｂを含めて覆うことができる大きさに形成された主被覆部１０１ａと、便座９３のベース部９３ａにおける開口部９１ａおよび縁部９１ｂにそれぞれ隣接した縁部を覆うことができる大きさに形成されたオーバー部１０１ｂとで構成されている。なお、図１においては、説明の便宜上、主被覆部１０１ａを濃いハッチングで示すとともに、オーバー部１０１を主被覆部１０１ａよりも薄いハッチングで示している。
【００３０】
そして、このシート本体１０１は、柔軟であるとともに便器ボウル９１から剥がすことによってロール状にカールする柔軟で白色のシート状の樹脂材料（例えば、ポリオレフィン樹脂材）によって構成されている。なお、シート本体１０１は、白色以外の色に着色した材料または透明や半透明の材料（例えば、ポリエチレンフィルム樹脂材、ポリプロピレン樹脂材、ポリ塩化ビニルなど）を用いて構成することができる。また、シート本体１０１は、樹脂材以外の材料、例えば、紙などによって構成することもできる。
【００３１】
このシート本体１０１の裏面には、粘着部１１０が形成されている。粘着部１１０は、シート本体１０１を便器ボウル９１に対して剥離可能に貼り付かせるための粘着力を発揮する部分であり、図示しない粘着剤を塗布して構成されている。この場合、粘着部１１０を構成する粘着剤は、便器ボウル９１に貼り付けた後に剥がすことにより再貼付再剥離不能な粘着剤で構成されている。例えば、再貼付再剥離不能な粘着剤としては、アクリル系粘着剤（例えば、溶剤型アクリル粘着剤、アクリルエマルジョン型粘着剤など）が好適である。なお、図２においては、説明の便宜上、後述する剥離シート１２０におけるスタート剥離部１２２の隅部を捲って示している。
【００３２】
この粘着部１１０上には、剥離シート１２０が貼り付けられている。剥離シート１２０は、シート本体１０１の裏面に形成された粘着部１１０に対して剥離可能に覆う部材であり、粘着部１１０に対応する形状、すなわち、シート本体１０１と同じ形状に形成された樹脂製のシート材で構成されている。この剥離シート１２０は、前側剥離部１２１、スタート剥離部１２２およびオーバー剥離部１２３とで構成されている。なお、図１においては、前側剥離部１２１、スタート剥離部１２２およびオーバー剥離部１２３をそれぞれ破線で示している。
【００３３】
これらのうち、前側剥離部１２１は、シート本体１０１における主被覆部１０１ａの一部、具体的には、主被覆部１０１ａにおけるオーバー部１０１ｂに隣接する所定幅の後端部領域を除くすべての領域を覆う剥離シート１２０である。すなわち、前側剥離部１２１は、便器ボウル９１の開口部９１ａおよび縁部９１ｂにおけるベース部９３ａの端部から所定幅の領域を除いた前方側を覆うシート本体１０１の裏面上に貼り付けられた剥離シート１２０である。
【００３４】
また、スタート剥離部１２２は、シート本体１０１における主被覆部１０１ａの他の一部、具体的には、主被覆部１０１ａにおいてオーバー部１０１ｂに隣接する前記所定幅の後端部領域を前側剥離部１２１に対して独立して覆う剥離シート１２０である。すなわち、スタート剥離部１２２は、便器ボウル９１の開口部９１ａおよび縁部９１ｂにおけるベース部９３ａの端部から前方側に所定幅の後端部領域を覆うシート本体１０１の裏面上に貼り付けられた剥離シート１２０である。本実施形態においては、スタート剥離部１２２は、便器ボウル９１の開口部９１ａおよび縁部９１ｂにおけるベース部９３ａの端部から前方側に４０ｍｍの幅の後端部領域を覆うシート本体１０１の裏面上に貼り付けられている。
【００３５】
また、オーバー剥離部１２３は、シート本体１０１におけるオーバー部１０１ｂを前側剥離部１２１およびスタート剥離部１２２に対してそれぞれ独立して覆う部分である。すなわち、オーバー剥離部１２３は、便器ボウル９１の開口部９１ａおよび縁部９１ｂにおける奥側に載置されるベース部９３ａの縁部を所定幅の領域だけ覆うシート本体１０１の裏面上に貼り付けられた剥離シート１２０である。本実施形態においては、オーバー剥離部１２３は、シート本体１０１におけるオーバー部１０１ｂの前後方向の長さが１００ｍｍに形成されているため、スタート剥離部１２２の端部から１００ｍｍの長さの幅で形成されている。
【００３６】
（便器ボウル用被覆シート１００の作動）
次に、このように構成した便器ボウル用被覆シート１００の作動について説明する。まず、洋式便器９０に便器用ボウル被覆シート１００を被せようとするユーザは、１つの洋式便器９０に対して１つの便器用ボウル被覆シート１００を用意する。次に、ユーザは、便器用ボウル被覆シート１００を便器ボウル９１に貼り付ける貼付作業を行う。
【００３７】
具体的には、ユーザは、洋式便器９０における蓋体９４および便座９３を跳ね上げて便器ボウル９１の開口部９１ａを露出させた後、便器ボウル用被覆シート１００におけるシート本体１０１の裏面に貼り付けられている剥離シート１２０を構成する前側剥離部１２１、スタート剥離部１２２およびオーバー剥離部１２３のうち、スタート剥離部１２２をシート本体１０１から剥がす。この場合、ユーザは、スタート剥離部１２２が前側剥離部１２１およびオーバー剥離部１２３に対して独立して構成されているため、スタート剥離部１２２の剥離作業によって前側剥離部１２１およびオーバー剥離部１２３をシート本体１０１から剥離させることはない。
【００３８】
次いで、ユーザは、図４に示すように、便器ボウル９１の縁部９１ｂにおける奥側のベース部９３ａに隣接する部分にスタート剥離部１２２を剥がすことによりシート本体１０１の裏面に帯状に露出した粘着部１１０を貼り付ける。この貼付作業においては、ユーザは、シート本体１０１の幅方向の両端をそれぞれ把持して便器ボウル９１に対するシート本体１０１の全体の貼り付け位置を調整しながら貼付作業を行う。なお、図４においては、スタート剥離部１２２を剥がすことによって露出した粘着部１２０を破線で示している。
【００３９】
この場合、ユーザは、シート本体１０１の裏面における粘着部１１０の露出する部分がスタート剥離部１２２を剥がした部分のみであるため、便器ボウル９１上でのシート本体１０１の思い掛けない貼り付きを防止して位置決め作業を容易かつ正確に行うことができる。このスタート剥離部１２２を剥がしたシート本体１０１の貼付作業によって便器ボウル９１の縁部９１ｂ上における奥側のベース部９３ａに隣接する部分にシート本体１０１の一部が貼り付けられる。なお、図４においては、スタート剥離部１２２を剥がすことによりシート本体１０１の裏面に帯状に露出した粘着部１１０の一部を破線で示している。
【００４０】
次に、ユーザは、図５に示すように、シート本体１０１の裏面に貼り付けられた前側剥離部１２１を剥がしながらこの前側剥離部１２１を剥がした部分のシート本体１０１の裏面を便器ボウル９１の縁部９１ｂに貼り付ける。この貼付作業においては、ユーザは、例えば、一方の片手（例えば、右手）で前側剥離部１２１を前方に引き剥がしながら他方の片手（例えば、左手）で前側剥離部１２１が剥がされたシート本体１０１を便器ボウル９１の縁部９１ｂに押し付けて貼り付けことができる。この場合、ユーザは、シート本体１０１における前記スタート剥離部１２２を剥がした部分が便器ボウル９１の縁部９１ｂの奥側に貼り付いて固定されているため、シート本体１０１の位置ずれを防止して安定した状態で前方に向かって貼り付けることができる。
【００４１】
そして、ユーザは、便器ボウル９１の縁部９１ｂ上にシート本体１０１を貼り付けと同時に、またはシート本体１０１を貼り付けた後に縁部９１ｂから張り出したシート本体１０１の縁部を折り曲げて便器ボウル９１の側面上部に貼り付ける。この前側剥離部１２１を剥がしたシート本体１０１の貼付作業によって、図６に示すように、便器ボウル９１の縁部９１ｂ上の全体にシート本体１０１における主被覆部１０１ａが貼り付けられて開口部９１ａおよび縁部９１ｂがそれぞれ被覆される。
【００４２】
次に、ユーザは、図７に示すように、シート本体１０１の裏面に貼り付けられたオーバー剥離部１２３を剥がしてこのオーバー剥離部１２３を剥がした部分のシート本体１０１の裏面を便座９３のベース部９３ａの縁部に貼り付ける。この場合、ユーザは、シート本体１０１における前記スタート剥離部１２２および前側剥離部１２１を剥がした部分が便器ボウル９１の縁部９１ｂにそれぞれ貼り付いて固定されているため、シート本体１０１の位置ずれを防止して安定した状態で貼り付けることができる。このオーバー剥離部１２３を剥がしたシート本体１０１の貼付作業によって、図７に示すように、便座９３のベース部９３ａの縁部上にシート本体１０１におけるオーバー部１０１ｂが貼り付けられる。
【００４３】
すなわち、この作業により、便器ボウル用被覆シート１００の貼付作業が完了する。したがって、ユーザは、便器ボウル用被覆シート１００によって便器ボウル９１の開口部９１ａおよび縁部９１ｂがそれぞれ被覆された状態で洋式便器９０を使用開始時期まで待機させることできる。この場合、便器ボウル用被覆シート１００は、シート本体１０１における主被覆部１０１ａによって開口部９１ａを塞ぐとともに、同開口部９１ａに隣接するベース部９３ａの縁部をオーバー部１０１ｂで覆っているため、洋式便器９０における便器ボウル９１の未使用状態の維持に加えて便器ボウル９１からの臭気の拡散防止、便器ボウル内への虫やゴミなどの異物の侵入および便器ボウル９１の底部に溜められた溜水９２の蒸発を効果的に防止することができる。
【００４４】
次に、洋式便器９０の使用を開始する場合においては、ユーザは、便器ボウル９１に貼り付けた便器ボウル用被覆シート１００を除去する。具体的には、ユーザは、便器ボウル９１に貼り付いたシート本体１０１の一部を把持して引っ張ることによりシート本体１０１の全体を便器ボウル９１から引き剥がすことできる。これにより、洋式便器９０は、便器ボウル９１から便器ボウル用被覆シート１００を除去されて使用可能な状態となる。なお、この場合、便器ボウル用被覆シート１００は、シート本体１０１が便器ボウル９１から剥がすことによってカールする材料で構成されるとともに、粘着部１１０を構成する粘着剤が再貼付再剥離不能な粘着剤で構成されているため、便器ボウル９１から引き剥がしたシート本体１０１を再度便器ボウル９１に貼り付けることはできない。
【００４５】
なお、ユーザは、シート本体１０１におけるスタート剥離部１２２および前側剥離部１２１で覆われた部分を便器ボウル９１の縁部９１ｂに貼り付ける際、この縁部９１ｂから張り出したシート本体１０１の縁部を折り曲げずにそのままの張り出した状態で便器ボウル用被覆シート１００の貼付作業を完了とすることもできる。これによれば、ユーザは、便器ボウル用被覆シート１００を便器ボウル９１から剥がす際にシート本体１０１における便器ボウル９１の縁部から張り出した部分を把持することにより簡単にシート本体１０１を便器ボウル９１から剥がすことができる。
【００４６】
また、ユーザは、便器ボウル９１の上面と便座９３の下面との間に隙間が存在している場合には、この隙間内にシート本体１０１におけるオーバー剥離部１２３で覆われた部分をオーバー剥離部１２３を剥がさない貼り付けた状態で挿し込むことによって便器ボウル用被覆シート１００の貼付作業を完了とすることもできる。これによれば、ユーザは、便器ボウル用被覆シート１００を便器ボウル９１から剥がす際にシート本体１０１におけるオーバー剥離部１２３が貼り付けられた部分を引抜くことで簡単にシート本体１０１を便器ボウル９１から剥がすことができる。
【００４７】
上記作動説明からも理解できるように、上記実施形態によれば、シート本体１０１の裏面に形成された粘着部１１０を覆う剥離シート１２０が前側剥離部１２１とスタート剥離部１２２とを備えている。この場合、前側剥離部１２１は便器ボウル９１における開口部９１ａおよび縁部９１ｂのうちのベース部９３ａから所定幅の後端部領域を除く前側部分に貼り付けられる粘着部１１０を覆い、スタート剥離部１２１は便器ボウル９１における開口部９１ａおよび縁部９１ｂのうちのベース部９３ａから所定幅の後端部領域に貼り付けられる粘着部１１０を覆って前側剥離部１２１とは独立して剥離するとともに同前側剥離部１２１より小さい面積で形成されている。このため、便器ボウル用被覆シート１００を便器ボウル９１に貼り付けるユーザは、シート本体１０１からスタート剥離部１２２を剥がして洋式便器９０の縁部９１ｂにおけるベース部９３ａに隣接する部分に貼り付けた後、前側剥離部１２１を剥がして開口部９１ａの前側に向かってシート本体１０１を貼り付けることができる。すなわち、ユーザは、シート本体１０１を便器ボウル９１に貼り付ける際、スタート剥離部１２２を剥がすことによって粘着部１１０を前側剥離部１２１よりも小さな面積で露出させるとともにその余の部分を前側剥離部１２１で覆った状態でシート本体１０１の便器ボウル９１への位置決めを行うことができる。これにより、本発明に係る便器ボウル用被覆シート１００によれば、便器ボウル９１への正確な貼り付け作業を容易に行うことができる。
【００４８】
さらに、本発明の実施にあたっては、上記実施形態に限定されるものではなく、本発明の目的を逸脱しない限りにおいて種々の変更が可能である。なお、下記変形例を示す図においては、上記実施形態における便器ボウル用被覆シート１００の構成部分に対応する部分に同じ符号を付して、これらの説明は適宜省略する。
【００４９】
例えば、上記実施形態においては、便器ボウル用被覆シート１００は、シート本体１０１に便座９３のベース部９３ａの縁部を覆うオーバー部１０１ｂを設けて構成した。この場合、オーバー部１０１ｂの大きさは、スタート剥離部１２３に対して前側剥離部１２１とは反対側に延びて形成されていれば、上記実施形態に限定されるものではない。したがって、オーバー部１０１ｂは、例えば、スタート剥離部１２２が便器ボウル９１の縁部９１ｂにおけるベース部９３ｂに隣接する部分に貼り付けられる粘着部１１０である場合には、跳ね上げられた便座９３における座部９３ｂに達する長さに形成されていてもよい。
【００５０】
また、オーバー部１０１ｂは、シート本体１０１の主被覆部１０１ａによって便器ボウル９１の開口部９１ａを精度よく塞ぐことができれば省略することもできる。例えば、シート本体１０１は、主被覆部１０１ａが便座９３の少なくとも一部まで覆うことができる大きさに形成されていれば、オーバー部１０１ｂを省略して主被覆部１０１ａのみで構成することができる。この場合、例えば、剥離シート１２０は、シート本体１０１における便座９３の一部に貼り付けられる粘着部１１０上にスタート剥離部１２２を配置することができる。
【００５１】
また、上記実施形態においては、便器ボウル用被覆シート１００は、シート本体１０１が便器ボウル９１において外部に露出した開口部９１ａを縁部９１ｂを含めて覆うことができる大きさに形成した。すなわち、シート本体１０１は、便器ボウル９１における縁部９１ｂの幅方向の長さよりも長く形成されている。しかし、シート本体１０１は、便器ボウル９１における開口部９１ａを覆って同開口部９１ａに配置される大きさ、すなわち、開口部９１ａおよび同開口部９１ａの周囲における少なくとも一部を覆うことができる大きさに形成されていれば、上記実施形態に限定されるものではない。したがって、シート本体１０１は、便器ボウル９１における開口部９１ａ以上かつ縁部９１ｂの外周部未満の大きさに形成することもできる。
【００５２】
また、上記実施形態においては、シート本体１０１は、シート本体１０１が便器ボウル９１から剥がすことによってロール状にカールする材料で構成されるとともに、粘着部１１０を構成する粘着剤が再貼付再剥離不能な粘着剤で構成されている。これは、シート本体１０１を便器ボウル９１から引き剥がした際にシート本体１０１を再度便器ボウル９１に貼り付けることができないようにするためである。したがって、シート本体１０１は、少なくともシート本体１０１が便器ボウル９１から剥がすことによってカールする材料（例えば、樹脂製フィルムや紙材）で構成されるか、または粘着部１１０を構成する粘着剤が再貼付再剥離不能な粘着剤で構成されることにより、便器ボウル９１への再度の貼り付けを防止することができる。
【００５３】
一方、便器ボウル用被覆シート１００は、シート本体１０１の裏面に形成される粘着部１１０が再貼付再剥離可能な粘着剤で構成されることにより、ユーザによる貼り損じや洋式便器のメンテナンス時などに一時的に剥がした後に再び貼り付けて再利用することができる。
【００５４】
また、上記実施形態においては、便器ボウル用被覆シート１００は、シート本体１０１および剥離シート１２０をそれぞれ樹脂材で構成するとともに平面視で砲弾形状に形成した。しかし、便器ボウル用被覆シート１００におけるシート本体１０１および剥離シート１２０は、便器ボウル９１の開口部９１ａを継続的に覆うことができる材質および形状に形成されていれば、上記実施形態に限定されるものではない。例えば、便器ボウル用被覆シート１００におけるシート本体１０１および剥離シート１２０は、紙材で構成することができる。この場合、シート本体１０１および剥離シート１２０を構成する紙材を水溶性の紙材で構成することにより、便器ボウルから剥がした後に便器ボウル内に捨てて流すことにより簡単に処分することができ、廃棄処理が容易となる。
【００５５】
また、シート本体１０１は、スタート剥離部１２２が貼り付けられる部分の幅方向の長さと前側剥離部１２１が貼り付けられる部分の幅方向の長さとを互いに異なる長さ、すなわち、一方が他方に比べて長いまたは短い長さに形成することができる。例えば、図８は、シート本体１０１におけるスタート剥離部１２２が貼り付けられる部分の幅を前側剥離部１２１およびオーバー剥離部１２３が貼り付けられる部分の各幅よりも狭く形成したシート本体１０１からなる便器ボウル用被覆シート１００を示している。これによれば、シート本体１０１を便器ボウル９２に貼り付けるユーザは、スタート剥離部１２２を剥がした状態において、スタート剥離部１２２が剥がされて粘着部１１０が露出した部分をシート本体１０１の表面側から容易に確認することができるため、シート本体１０１の貼り付け作業を容易かつ正確に行うことができる。なお、図８においては、前側剥離部１２１、スタート剥離部１２２およびオーバー剥離部１２３をそれぞれ破線で示している。
【００５６】
なお、便器ボウル用被覆シート１００は、シート本体１０１における表側にスタート剥離部１２２、前側剥離部１２１および／またはオーバー剥離部１２３の貼り付けられている位置を示す印、例えば、記号、線図またはミシン目などを形成して構成することができる。これによってもユーザは、スタート剥離部１２２を剥がした状態において、スタート剥離部１２２などが剥がされて粘着部１１０が露出した部分をシート本体１０１の表面側から容易に確認することができるため、シート本体１０１の貼り付け作業を容易かつ正確に行うことができる。
【００５７】
また、上記実施形態においては、剥離シート１２０は、前側剥離シート１２１を便器ボウル９１における開口部９１ａおよび縁部９１ｂのうちのベース部９３ａから所定幅の後端部領域を除く前側部分に貼り付けられる粘着部１１０を覆う大きさに形成するとともに、スタート剥離部１２１を便器ボウル９１における開口部９１ａおよび縁部９１ｂのうちのベース部９３ａから所定幅の後端部領域に貼り付けられる粘着部１１０を覆うように構成した。しかし、前側剥離シート１２１は便器ボウル９１における開口部９１ａの周囲のうちの少なくとも開口部９１ａの中央部より前側部分に貼り付けられる粘着部１１０を覆うように形成され、スタート剥離部１２２は洋式便器９０における少なくとも開口部９１ａの中央部より奥側部分に便器ボウル９１の幅方向に沿って貼り付けられる粘着部１１０を覆って前側剥離部１２１とは独立して剥離するとともに同前側剥離部１２１よりも小さい面積に形成されていれば、上記実施形態に限定されるものではない。
【００５８】
この場合、スタート剥離部１２２は、例えば、便器ボウル９１の縁部９１ｂに対応する部分にのみに形成されていてもよい。すなわち、スタート剥離部１２２を便器ボウル９１の縁部９１ｂに対応して便器ボウル９１の幅方向の両端部の二か所に分けて形成することができる。このことは、剥離シート１２０における前側剥離部１２１およびスタート剥離部１２２を便器ボウル９１の縁部９１ｂに対応するそれぞれ形状（例えば、リング状やＵ字状など）に形成して開口部９１ａに対向する部分を剥離不要に構成できることも意味する。
【００５９】
また、上記実施形態においては、粘着部１１０は、シート本体１０１の裏面の全体に形成した。しかし、粘着部１１０は、シート本体１０１を便器ボウル９１に剥離可能に固定できればよく、その形成位置は上記実施形態に限定されるものではない。したがって、粘着部１１０は、例えば、シート本体１０１の裏面において便器ボウル９１の縁部９１ｂに対応するリング状に形成されていてもよい。
【符号の説明】
【００６０】
９０…洋式便器、９１…便器ボウル、９１ａ…開口部、９１ｂ…縁部、９２…溜水、９３…便座、９３ａ…ベース部、９３ｂ…座部、９３ｃ…洗浄装置、９４…蓋体、
１００…便器ボウル用被覆シート、１０１…シート本体、１０１ａ…主被覆部、１０１ｂ…オーバー部、
１１０…粘着部、
１２０…剥離シート、１２１…前側剥離部、１２２…スタート剥離部、１２３…オーバー剥離部。
【図１】
2014066094.tif 000003
【図２】
2014066094.tif 000004
【図３】
2014066094.tif 000005
【図４】
2014066094.tif 000006
【図５】
2014066094.tif 000007
【図６】
2014066094.tif 000008
【図７】
2014066094.tif 000009
【図８】
2014066094.tif 000010